(57)【要約】【課題】  ＨＤＭＩデータをディスプレイ装置にスルーする必要がない場合に、スタンバイ時の消費電力を低減することができるＡＶアンプを提供すること。【解決手段】  ＡＶアンプは、ディスプレイ装置がＡＶアンプからＨＤＭデータを受信することができるか否かを判断する。ディスプレイ装置がＡＶアンプからＨＤＭデータを受信できないと判断された場合、ＡＶアンプは、ＨＤＭＩ受信部およびＨＤＭＩ送信部に電源電圧を供給しない完全スタンバイ状態に移行する。従って、消費電力をより低減できる。ディスプレイ装置がＡＶアンプからＨＤＭデータを受信できると判断された場合、ＡＶアンプは、ＨＤＭＩ受信部およびＨＤＭＩ送信部に電源電圧を供給するスタンバイスルー状態に移行する。従って、ＡＶアンプはＨＤＭＩデータををディスプレイ装置にスルーすることができる。【選択図】図３
2011166681.tif 000002
【特許請求の範囲】
【請求項１】
コンテンツ送信装置と、コンテンツ受信装置とが接続可能なコンテンツ送受信装置であって、
前記コンテンツ送信装置からコンテンツを受信する受信手段と、
前記コンテンツ受信装置にコンテンツを送信する送信手段と、
前記コンテンツ受信装置が前記コンテンツ送受信装置からコンテンツを受信することができるか否かを判断する判断手段と、
前記コンテンツ受信装置が前記コンテンツ送受信装置からコンテンツを受信することができないと判断された場合、前記受信手段および前記送信手段に電源電圧を供給しない第１スタンバイ状態に前記コンテンツ送受信装置を移行させ、前記コンテンツ受信装置が前記コンテンツ送受信装置からコンテンツを受信することができると判断された場合、前記受信手段および前記送信手段に電源電圧を供給する第２スタンバイ状態に前記コンテンツ送受信装置を移行させるスタンバイ制御手段とを備える、コンテンツ送受信装置。
【請求項２】
前記判断手段が、前記コンテンツ受信装置がスタンバイ状態であるか否かを判断し、前記コンテンツ受信装置がスタンバイ状態である場合に、前記コンテンツ受信装置が前記コンテンツ送受信装置からコンテンツを受信することができないと判断し、前記コンテンツ受信装置がスタンバイ状態でない場合に、前記コンテンツ受信装置が前記コンテンツ送受信装置からコンテンツを受信することができると判断する、請求項１に記載のコンテンツ送受信装置。
【請求項３】
前記判断手段が、前記コンテンツ受信装置がスタンバイ状態であるか否か、及び、前記コンテンツ受信装置の信号経路に前記コンテンツ送受信装置が含まれているか否かを判断し、前記コンテンツ受信装置がスタンバイ状態である場合、又は、前記コンテンツ受信装置の信号経路に前記コンテンツ送受信装置が含まれていない場合に、前記コンテンツ受信装置が前記コンテンツ送受信装置からコンテンツを受信することができないと判断し、前記コンテンツ受信装置がスタンバイ状態でない、かつ、前記コンテンツ受信装置の信号経路に前記コンテンツ送受信装置が含まれている場合に、前記コンテンツ受信装置が前記コンテンツ送受信装置からコンテンツを受信することができると判断する、請求項１に記載のコンテンツ送受信装置。
【請求項４】
前記判断手段が、前記コンテンツ受信装置の信号経路に前記コンテンツ送受信装置が含まれているか否かを判断し、前記コンテンツ受信装置の信号経路に前記コンテンツ送受信装置が含まれていない場合に、前記コンテンツ受信装置が前記コンテンツ送受信装置からコンテンツを受信することができないと判断し、前記コンテンツ受信装置の信号経路に前記コンテンツ送受信装置が含まれている場合に、前記コンテンツ受信装置が前記コンテンツ送受信装置からコンテンツを受信することができると判断する、請求項１に記載のコンテンツ送受信装置。
【請求項５】
前記コンテンツ送受信装置が前記第１スタンバイ状態であるときに、前記コンテンツ受信装置が前記コンテンツ送受信装置からコンテンツを受信することができると判断された場合、前記判断手段が、ユーザ操作によって所定モードがオンに設定されているか否かをさらに判断し、前記所定モードがオンに設定されている場合、前記スタンバイ制御手段が、前記第２スタンバイ状態ではなく、電源オン状態に前記コンテンツ送受信装置を移行させる、請求項１〜４のいずれかに記載のコンテンツ送受信装置。
【請求項６】
コンテンツ送信装置と、コンテンツ受信装置とが接続可能であり、前記コンテンツ送信装置からコンテンツを受信する受信手段と、前記コンテンツ受信装置にコンテンツを送信する送信手段とを備えるコンテンツ送受信装置の動作プログラムであって、
前記コンテンツ受信装置が前記コンテンツ送受信装置からコンテンツを受信することができるか否かを判断する判断ステップと、
前記コンテンツ受信装置が前記コンテンツ送受信装置からコンテンツを受信することができないと判断された場合、前記受信手段および前記送信手段に電源電圧を供給しない第１スタンバイ状態に前記コンテンツ送受信装置を移行させ、前記コンテンツ受信装置が前記コンテンツ送受信装置からコンテンツを受信することができると判断された場合、前記受信手段および前記送信手段に電源電圧を供給する第２スタンバイ状態に前記コンテンツ送受信装置を移行させるスタンバイ制御ステップとをコンピュータに実行させる、コンテンツ送受信装置の動作プログラム。
【発明の詳細な説明】
【技術分野】
【０００１】
本発明は、コンテンツ送受信装置およびそのプログラムに関する。
【背景技術】
【０００２】
ＤＶＤ（又はＢＤ）プレーヤと、ＡＶアンプと、ディスプレイ装置とを備えるコンテンツ送受信システムが利用されている。ＤＶＤプレーヤは、ＤＶＤディスクに記録されているコンテンツデータを再生し、ＨＤＭＩデータに変換し、ＡＶアンプに送信する。ＡＶアンプは、コンテンツデータに含まれる音声データに音声処理を実行し、スピーカーから音声を出力する。ＡＶアンプは、映像データをＨＤＭＩデータに変換し、ディスプレイ装置に送信する。ディスプレイ装置は、ＡＶアンプから供給された映像データに映像処理を実行し、表示する。
【０００３】
ＡＶアンプをスタンバイ状態（このスタンバイ状態は、ＨＤＭＩデータをスルーするために、ＨＤＭＩ受信部やＨＤＭＩ送信部には電源電圧が供給される。）に移行させることにより、ＡＶアンプがＤＶＤプレーヤから送信されるＨＤＭＩデータをディスプレイ装置にスルーすることが提案されている（例えば、特許文献１）。しかし、ＡＶアンプをスタンバイ状態にする際に、必ずしもＤＶＤプレーヤからのＨＤＭＩデータをディスプレイ装置にスルーする必要があるとは限らず、スルーする必要がないときには、スタンバイ状態においてＨＤＭＩ受信部やＨＤＭＩ送信部に電源電圧が供給される分、無駄な消費電力が発生するという問題がある。
【先行技術文献】
【特許文献】
【０００４】
【特許文献１】特開２００７−１２４４６９号公報
【発明の概要】
【発明が解決しようとする課題】
【０００５】
本発明は上記従来の課題を解決するためになされたものであり、その目的は、スタンバイ状態においてコンテンツ送信装置からのコンテンツをコンテンツ受信装置に送信するコンテンツ送受信装置であって、コンテンツ送信装置からのコンテンツをコンテンツ受信装置に送信する必要がない場合には、スタンバイ時の消費電力を低減することができるコンテンツ送受信装置を提供することである。
【課題を解決するための手段】
【０００６】
本発明の好ましい実施形態によるコンテンツ送受信装置は、コンテンツ送信装置と、コンテンツ受信装置とが接続可能なコンテンツ送受信装置であって、前記コンテンツ送信装置からコンテンツを受信する受信手段と、前記コンテンツ受信装置にコンテンツを送信する送信手段と、前記コンテンツ受信装置が前記コンテンツ送受信装置からコンテンツを受信することができるか否かを判断する判断手段と、前記コンテンツ受信装置が前記コンテンツ送受信装置からコンテンツを受信することができないと判断された場合、前記受信手段および前記送信手段に電源電圧を供給しない第１スタンバイ状態に前記コンテンツ送受信装置を移行させ、前記コンテンツ受信装置が前記コンテンツ送受信装置からコンテンツを受信することができると判断された場合、前記受信手段および前記送信手段に電源電圧を供給する第２スタンバイ状態に前記コンテンツ送受信装置を移行させるスタンバイ制御手段とを備える。
【０００７】
コンテンツ受信装置がコンテンツ送受信装置からコンテンツを受信することができない場合、第１スタンバイ状態にコンテンツ送受信装置を移行させる。従って、消費電力をより削減することができる。一方、コンテンツ受信装置がコンテンツ送受信装置からコンテンツを受信することができる場合、第２スタンバイ状態にコンテンツ送受信装置を移行させる。従って、スタンバイ状態においても、コンテンツ送受信装置は、コンテンツ送信装置からのコンテンツをコンテンツ受信装置に送信することができる。
【０００８】
好ましい実施形態においては、前記判断手段が、前記コンテンツ受信装置がスタンバイ状態であるか否かを判断し、前記コンテンツ受信装置がスタンバイ状態である場合に、前記コンテンツ受信装置が前記コンテンツ送受信装置からコンテンツを受信することができないと判断し、前記コンテンツ受信装置がスタンバイ状態でない場合に、前記コンテンツ受信装置が前記コンテンツ送受信装置からコンテンツを受信することができると判断する。
【０００９】
コンテンツ受信装置がスタンバイ状態である場合には、コンテンツ送受信装置からコンテンツ受信装置にコンテンツを送信してもコンテンツ受信装置はコンテンツを受信できない。従って、コンテンツ受信装置がコンテンツ送受信装置からコンテンツを受信することができないと判断できる。コンテンツ受信装置がスタンバイ状態でない場合には、コンテンツ送受信装置からコンテンツ受信装置にコンテンツを送信するとコンテンツ受信装置はコンテンツを受信し、再生できる。従って、コンテンツ受信装置がコンテンツ送受信装置からコンテンツを受信することができると判断できる。
【００１０】
好ましい実施形態においては、前記判断手段が、前記コンテンツ受信装置がスタンバイ状態であるか否か、及び、前記コンテンツ受信装置の信号経路に前記コンテンツ送受信装置が含まれているか否かを判断し、前記コンテンツ受信装置がスタンバイ状態である場合、又は、前記コンテンツ受信装置の信号経路に前記コンテンツ送受信装置が含まれていない場合に、前記コンテンツ受信装置が前記コンテンツ送受信装置からコンテンツを受信することができないと判断し、前記コンテンツ受信装置がスタンバイ状態でない、かつ、前記コンテンツ受信装置の信号経路に前記コンテンツ送受信装置が含まれている場合に、前記コンテンツ受信装置が前記コンテンツ送受信装置からコンテンツを受信することができると判断する。
【００１１】
コンテンツ受信装置がスタンバイ状態である場合、又は、コンテンツ受信装置の信号経路にコンテンツ送受信装置が含まれていない場合には、コンテンツ送受信装置からコンテンツ受信装置にコンテンツを送信してもコンテンツ受信装置はコンテンツを受信できない。従って、コンテンツ受信装置がコンテンツ送受信装置からコンテンツを受信することができないと判断できる。コンテンツ受信装置がスタンバイ状態ではなく、かつ、コンテンツ受信装置の信号経路にコンテンツ送受信装置が含まれている場合には、コンテンツ送受信装置からコンテンツ受信装置にコンテンツを送信するとコンテンツ受信装置はコンテンツを受信し、再生できる。従って、コンテンツ受信装置がコンテンツ送受信装置からコンテンツを受信することができると判断できる。
【００１２】
好ましい実施形態においては、前記判断手段が、前記コンテンツ受信装置の信号経路に前記コンテンツ送受信装置が含まれているか否かを判断し、前記コンテンツ受信装置の信号経路に前記コンテンツ送受信装置が含まれていない場合に、前記コンテンツ受信装置が前記コンテンツ送受信装置からコンテンツを受信することができないと判断し、前記コンテンツ受信装置の信号経路に前記コンテンツ送受信装置が含まれている場合に、前記コンテンツ受信装置が前記コンテンツ送受信装置からコンテンツを受信することができると判断する。
【００１３】
コンテンツ受信装置の信号経路にコンテンツ送受信装置が含まれていない場合には、コンテンツ送受信装置からコンテンツ受信装置にコンテンツを送信してもコンテンツ受信装置はコンテンツを受信できない。従って、コンテンツ受信装置がコンテンツ送受信装置からコンテンツを受信することができないと判断できる。コンテンツ受信装置の信号経路にコンテンツ送受信装置が含まれている場合には、コンテンツ送受信装置からコンテンツ受信装置にコンテンツを送信するとコンテンツ受信装置はコンテンツを受信し、再生できる。従って、コンテンツ受信装置がコンテンツ送受信装置からコンテンツを受信することができると判断できる。
【００１４】
好ましい実施形態においては、前記コンテンツ送受信装置が前記第１スタンバイ状態であるときに、前記コンテンツ受信装置が前記コンテンツ送受信装置からコンテンツを受信することができると判断された場合、前記判断手段が、ユーザ操作によって所定モードがオンに設定されているか否かをさらに判断し、前記所定モードがオンに設定されている場合、前記スタンバイ制御手段が、前記第２スタンバイ状態ではなく、電源オン状態に前記コンテンツ送受信装置を移行させる。
【発明の効果】
【００１５】
本発明によると、スタンバイ状態においてコンテンツ送信装置からのコンテンツをコンテンツ受信装置に送信するコンテンツ送受信装置において、コンテンツ送信装置からのコンテンツをコンテンツ受信装置に送信する必要がない場合には、スタンバイ時の消費電力を低減することができるコンテンツ送受信装置を提供することができる。
【図面の簡単な説明】
【００１６】
【図１】本発明の好ましい実施形態によるＡＶアンプ２０を示すブロック図である。
【図２】ＡＶアンプ２０、ディスプレイ装置４０、ＤＶＤプレーヤ１０Ａ〜１０Ｃの接続関係および物理アドレスを示すブロック図である。
【図３】制御部２４の処理を示すフローチャートである。
【図４】制御部２４の処理を示すフローチャートである。
【図５】制御部２４の処理を示すフローチャートである。
【図６】制御部２４の処理を示すフローチャートである。
【図７】制御部２４の処理を示すフローチャートである。
【図８】制御部２４の処理を示すフローチャートである。
【図９】制御部２４の処理を示すフローチャートである。
【図１０】制御部２４の処理を示すフローチャートである。
【図１１】制御部２４の処理を示すフローチャートである。
【図１２】制御部２４の処理を示すフローチャートである。
【図１３】制御部２４の処理を示すフローチャートである。
【図１４】制御部２４の処理を示すフローチャートである。
【図１５】制御部２４の処理を示すフローチャートである。
【発明を実施するための形態】
【００１７】
［実施例１］
以下、本発明の好ましい実施形態によるＤＶＤ（又はＢＤ（Blue Lay Disk））プレーヤ（ソース機器やコンテンツ送信装置ともいう。）、ＡＶアンプ（コンテンツ送受信装置ともいう。）、及び、ディスプレイ装置（コンテンツ受信装置ともいう。）を備えるコンテンツ送受信システムについて、図面を参照して具体的に説明するが、本発明はこれらの実施形態には限定されない。本例において、コンテンツは、映像（画像も含む、以下同様。）データおよび／または音声データ等の総称である。
【００１８】
図１および図２は、ＤＶＤプレーヤ１０Ａ〜１０Ｃ、ＡＶアンプ２０、ディスプレイ装置４０の構成及び接続関係を示すブロック図である。これらの機器は、例えばＨＤＭＩ規格に準拠しており、ＨＤＭＩケーブルを介して相互に接続されている。ＨＤＭＩケーブルには通信ラインであるＣＥＣラインが含まれており、これらの機器は、ＣＥＣラインを介して相互にコマンド（以下、ＣＥＣメッセージという。）を送受信し、相互に制御することができる。例えば、図２に示すように、ディスプレイ装置４０のＨＤＭＩ入力１（ＩＮ１）にはＡＶアンプ２０のＨＤＭＩ出力１（ＯＵＴ１）が接続されている。ディスプレイ装置４０のＨＤＭＩ入力２（ＩＮ２）にはＤＶＤプレーヤ１０ＣのＨＤＭＩ出力が接続されている。ＡＶアンプ２０のＨＤＭＩ入力１（ＩＮ１）にはＤＶＤプレーヤ１０ＡのＨＤＭＩ出力が接続されている。ＡＶアンプ２０のＨＤＭＩ入力２（ＩＮ２）にはＤＶＤプレーヤ１０ＢのＨＤＭＩ出力が接続されている。
【００１９】
各機器には、コンテンツ送受信システムの接続関係に基づいて、物理アドレスが付与される。物理アドレスは、コンテンツ送受信システムを構成する各機器のツリー構造を示すものであり、主として入力切り換え先を指定するために使用される。最下流（シンク）の機器であるディスプレイ装置４０には、物理アドレス［０．０．０．０．］が付与される。ディスプレイ装置４０の１つ上流側に接続されているＡＶアンプ２０には［１．０．０．０］が付与される。つまり、ディスプレイ装置４０の物理アドレス［０．０．０．０］の一番左の数字が、その機器が接続されているＨＤＭＩ入力の番号に変更されたものが物理アドレスになる。同様に、ディスプレイ装置４０の１つ上流側に接続されているＤＶＤプレーヤ１０Ｃには［２．０．０．０］が付与される。ＡＶアンプ２０の１つ上流側に接続されているＤＶＤプレーヤ１０Ａには［１．１．０．０］、ＤＶＤプレーヤ１０Ｂには［１．２．０．０］がそれぞれ付与される。つまり、ＡＶアンプ２０の物理アドレス［１．０．０．０］の左から２番目の数字が、ＤＶＤプレーヤ１０Ａ、１０Ｂが接続されているＨＤＭＩ入力の番号に変更された［１．１．０．０］、［１．２．０．０］が、ＤＶＤプレーヤ１０Ａ、１０Ｂの各物理アドレスになる。
【００２０】
ＤＶＤプレーヤ１０Ａ、１０Ｂは、ＤＶＤから映像データ及び音声データを読み出して、ＨＤＭＩデータに変換し、ＨＤＭＩケーブルを介してＡＶアンプ２０に送信する。ＤＶＤプレーヤ１０Ｃは、ＤＶＤから映像データ及び音声データを読み出して、ＨＤＭＩデータに変換し、ＨＤＭＩケーブルを介してディスプレイ装置４０に送信する。
【００２１】
ＡＶアンプ２０は、ＨＤＭＩ受信部２１と、ＨＤＭＩ送信部２２と、音声処理部２３と、制御部２４と、メモリ（ＲＯＭ、ＲＡＭ等）２５と、操作部２６と、表示部２７と、電源部２８と、ＨＤＭＩ入力端子２９Ａ（図２のＨＤＭＩ入力１（ＩＮ１）に対応）と、ＨＤＭＩ入力端子２９Ｂ（図２のＨＤＭＩ入力２（ＩＮ２）に対応）と、ＨＤＭＩ出力端子２９Ｃ（図２のＨＤＭＩ出力１（ＯＵＴ１）に対応）とを有している。
【００２２】
ＨＤＭＩ受信部２１は、ユーザ操作によってインプットセレクタにＨＤＭＩ入力１が選択されている場合、ＨＤＭＩ入力１に接続されているＤＶＤプレーヤ１０ＡからＨＤＭＩデータを受信する。ＨＤＭＩ受信部２１は、ユーザ操作によってインプットセレクタにＨＤＭＩ入力２が選択されている場合、ＨＤＭＩ入力２に接続されているＤＶＤプレーヤ１０ＢからＨＤＭＩデータを受信する。ＨＤＭＩ受信部２１は、ＤＶＤプレーヤ１０Ａ、又は、ＤＶＤプレーヤ１０ＢからＨＤＭＩデータを受信すると、受信したＨＤＭＩデータから元の映像データ（ＨＤＭＩ変換前の映像データ）を生成し、ＨＤＭＩ送信部２２に供給する。また、ＨＤＭＩ受信部２１は、受信したＨＤＭＩデータから元の音声データを生成し、音声処理部２３に供給する。
【００２３】
ＨＤＭＩ送信部２２は、ＨＤＭＩ受信部２１から供給された映像データをＨＤＭＩデータに変換する。ＨＤＭＩ送信部２２は、ＨＤＭＩ出力端子２９Ｃを介してディスプレイ装置４０にＨＤＭＩデータを送信する。
【００２４】
また、ＡＶアンプ２０において音声を再生しない場合には、ＨＤＭＩ受信部２1は、受信したＨＤＭＩデータをそのまま（すなわち、一旦ＨＤＭＩデータを元の映像データ及び音声データに変換することなく）ＨＤＭＩ送信部２２に供給する。ＨＤＭＩ送信部２２は、ＨＤＭＩ受信部２１から供給されたＨＤＭＩデータを、ＨＤＭＩ出力端子２９Ｃを介してそのまま（すなわち、元の映像データ及び音声データをＨＤＭＩデータに変換することなく）ディスプレイ装置４０に供給する。以下、この状態を、ＡＶアンプ２０がＨＤＭＩデータをスルーするという。
【００２５】
音声処理部２３は、ＨＤＭＩ受信部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００２６】
制御部２４は、メモリ（ＲＯＭ）２５に記憶されているプログラムに基づいて、ＡＶアンプ２０の各部を制御するものであり、例えば、マイコンやＣＰＵ等である。制御部２４は、ＨＤＭＩのＣＥＣラインを介してＤＶＤプレーヤ１０Ａ〜１０Ｃ、及び、ディスプレイ装置４０の各制御部に接続されており、各制御部とＣＥＣメッセージを送受信する。
【００２７】
制御部２４は、ユーザ操作によってＡＶアンプ２０を電源オン状態からスタンバイ状態に移行する指示が入力されると、電源部２８を制御し、ＡＶアンプ２０を電源オン状態からスタンバイ状態に移行させる。スタンバイ状態とは、制御部２４（その周辺回路も含む場合がある）（及び、必要に応じて、ＨＤＭＩ受信部２１およびＨＤＭＩ送信部２２）のみに電源部２８から電源電圧が供給され、その他の部分には電源電圧が供給されない電源オフ状態の一状態である。本実施形態では、スタンバイ状態には、第１スタンバイ状態と、第２スタンバイ状態とが存在する。
【００２８】
第１スタンバイ状態は、制御部２４のみに電源電圧が供給され、ＨＤＭＩ受信部２１及びＨＤＭＩ送信部２２を含むその他の部分には電源電圧が供給されない状態である。つまり、第１スタンバイ状態では、消費電力をより削減することができるが、ＨＤＭＩ受信部２１及びＨＤＭＩ送信部２２は動作を実行することができないので、ＡＶアンプ２０はＨＤＭＩデータをディスプレイ装置４０にスルーすることができず、ＡＶアンプ２０がＨＤＭＩデータをスルーする必要がない場合にこの状態に移行される。以下、第１スタンバイ状態を完全スタンバイ状態という。
【００２９】
第２スタンバイ状態は、制御部２４、ＨＤＭＩ受信部２１及びＨＤＭＩ送信部２２に電源電圧が供給され、その他の部分には電源電圧が供給されない状態である。つまり、第２スタンバイ状態では、第１スタンバイ状態よりは消費電力が大きくなるものの、ＨＤＭＩ受信部２１及びＨＤＭＩ送信部２２は動作を実行することができるので、ＡＶアンプ２０がＨＤＭＩデータをディスプレイ装置４０にスルーすることができ、ＡＶアンプ２０がＨＤＭＩデータをスルーする必要がある場合にこの状態に移行される。以下、第２スタンバイ状態をスタンバイスルー状態という。
【００３０】
制御部２４は、ＡＶアンプ２０がスタンバイ状態の場合でも、ディスプレイ装置４０にＨＤＭＩデータをスルーする必要があるか否かを判断する。つまり、制御部２４は、ディスプレイ装置４０がＡＶアンプ２０からＨＤＭＩデータを受信できるか否かを判断する。制御部２４は、ディスプレイ装置４０がＡＶアンプ２０からＨＤＭＩデータを受信できないと判断すると、ＡＶアンプ２０を完全スタンバイ状態に移行させ、ディスプレイ装置４０がＡＶアンプ２０からＨＤＭＩデータを受信できると判断すると、ＡＶアンプ２０をスタンバイスルー状態に移行させる。
【００３１】
制御部２４は、ディスプレイ装置４０から送信されるＣＥＣメッセージの内容に基づいて、スタンバイ状態の時にＨＤＭＩデータをスルーする必要があるか否かを判断する。すなわち、制御部２４は、ＣＥＣメッセージに基づいてディスプレイ装置４０がスタンバイ状態であるか否かを判断する。制御部２４は、ディスプレイ装置４０がスタンバイ状態であると判断すると、ディスプレイ装置４０がＨＤＭＩデータをＡＶアンプ２０から受信できないので、ＡＶアンプ２０がＨＤＭＩデータをディスプレイ装置４０にスルーする必要がないと判断し、ＡＶアンプ２０を完全スタンバイ状態に移行させる。一方、制御部２４は、ディスプレイ装置４０がスタンバイ状態ではない（つまり、電源オン状態である）と判断すると、ディスプレイ装置４０がＨＤＭＩデータをＡＶアンプ２０から受信できるので、ＡＶアンプ２０がＨＤＭＩデータをディスプレイ装置４０にスルーする必要があると判断し、ＡＶアンプ２０をスタンバイスルー状態に移行させる。
【００３２】
表示部２７は、ＡＶアンプ２０の設定画面等を表示するものであり、ＬＣＤやＦＬ管等である。操作部２８は、ユーザ操作を受け付けるものであり、操作ボタンやリモコン等である。
【００３３】
ディスプレイ装置４０は、ＡＶアンプ２０又はＤＶＤプレーヤ１０ＣからＨＤＭＩデータを受信し、ＨＤＭＩデータから元の映像データを生成し、表示部に表示させる。また、ＡＶアンプ２０がＨＤＭＩデータをディスプレイ装置４０にスルーする場合、ディスプレイ装置４０が内蔵するスピーカーから音声を出力する必要がある。従って、ディスプレイ装置４０は、ＨＤＭＩデータから元の音声データを生成し、増幅し、スピーカーから音声を出力する。
【００３４】
以下、本実施形態の動作を説明する。図３は、ユーザ操作によってＡＶアンプ２０を電源オン状態からスタンバイ状態に移行する指示が入力された場合の制御部２４の処理を示すフローチャートである。制御部２４は、ユーザ操作によってスタンバイ状態に移行する指示が入力されたか否かを判断する（Ｓ１）。入力された場合（Ｓ１でＹＥＳ）、制御部２４は、ディスプレイ装置４０に電源状態を問い合わせるＣＥＣメッセージを送信する（Ｓ２）。詳細には、’5 0 Give Device Power Status’というＣＥＣメッセージが送信される。先頭の５は送信元であるＡＶアンプ２０の論理アドレスであり、２番目の０は送信先であるディスプレイ装置４０の論理アドレスである。
【００３５】
制御部２４は、ディスプレイ装置４０から電源状態に関するＣＥＣメッセージを受信したか否かを判断する（Ｓ３）。詳細には、’0 5 Report Power Status’というＣＥＣメッセージをディスプレイ装置４０から受信したか否かが判断される。受信した場合（Ｓ３でＹＥＳ）、制御部２４は、受信したＣＥＣメッセージの内容に基づいて、ディスプレイ装置４０がスタンバイ状態であるか否かを判断する（Ｓ４）。特に限定されないが、Report Power Statusには、Standby、Going-Standby、Going-Power-On、Power-On等の種類が存在し、この中のStandbyであるか否かが判断される。
【００３６】
ディスプレイ装置４０がスタンバイ状態であれば（Ｓ４でＹＥＳ）、ディスプレイ装置４０はＡＶアンプ２０からＨＤＭＩデータを受信できず、ＡＶアンプ２０がＨＤＭＩデータをディスプレイ装置４０にスルーする必要がないので、制御部２４は、ＡＶアンプ２０を電源オン状態から完全スタンバイ状態に移行させる（Ｓ６）。一方、ディスプレイ装置４０がスタンバイ状態でなければ（Ｓ４でＮＯ）、ディスプレイ装置４０はＡＶアンプ２０からＨＤＭＩデータを受信でき、ＡＶアンプ２０はＨＤＭＩデータをディスプレイ装置４０にスルーする必要があるので、制御部２４は、ＡＶアンプ２０を電源オン状態からスタンバイスルー状態に移行させる（Ｓ５）。
【００３７】
以上の処理によって、ディスプレイ装置４０がスタンバイ状態の場合には、ＡＶアンプ２０は完全スタンバイ状態に移行するので、消費電力を十分に削減することができる。一方、ディスプレイ装置４０がスタンバイ状態でない場合には、ＡＶアンプはスタンバイスルー状態に移行するので、ＤＶＤプレーヤからのＨＤＭＩデータをディスプレイ装置４０にスルーすることができる。
【００３８】
なお、図３の処理の代わりに図４の処理が実行されてもよい。図４では、スタンバイ状態に移行する指示に応じて最初はスタンバイスルー状態に移行し、ディスプレイ装置４０がスタンバイ状態であると判断された場合に、すぐに完全スタンバイ状態に移行せずに、所定時間経過後にディスプレイ装置がスタンバイ状態であるか否かを再度判断し、ディスプレイ装置４０がスタンバイ状態であれば、完全スタンバイ状態に移行する。なお、図４では図３と同一の処理には同一符号を付している。
【００３９】
ユーザ操作によってスタンバイ状態に移行する指示が入力された場合（Ｓ１でＹＥＳ）、制御部２４は、ＡＶアンプ２０を電源オン状態からスタンバイスルー状態に移行させる（Ｓ１１）。次に、制御部２４は、ディスプレイ装置４０に電源状態を問い合わせるＣＥＣメッセージを送信する（Ｓ２）。ディスプレイ装置４０から電源状態に関するＣＥＣメッセージを受信した場合（Ｓ３でＹＥＳ）、制御部２４は、ディスプレイ装置４０がスタンバイ状態であるか否かを判断する（Ｓ４）。ディスプレイ装置４０がスタンバイ状態でなければ（Ｓ４でＮＯ）、ＨＤＭＩデータをディスプレイ装置４０にスルーする必要があるので、制御部２４は、ＡＶアンプ２０をスタンバイスルー状態に移行させる（Ｓ５）。
【００４０】
ディスプレイ装置４０がスタンバイ状態であれば（Ｓ４でＹＥＳ）、制御部２４は、タイマーカウントを実行し（Ｓ１２）、タイマーカウントが所定時間経過したか否かを判断する（Ｓ１３）。経過した場合（Ｓ１３でＹＥＳ）、制御部２４は、ディスプレイ装置４０に電源状態を問い合わせるＣＥＣメッセージを再度送信する（Ｓ１４）。
【００４１】
制御部２４は、ディスプレイ装置４０から電源状態に関するＣＥＣメッセージを受信したか否かを判断する（Ｓ１５）。受信した場合（Ｓ１５でＹＥＳ）、制御部２４は、ディスプレイ装置４０がスタンバイ状態であるか否かを判断する（Ｓ１６）。
【００４２】
ディスプレイ装置４０がスタンバイ状態であれば（Ｓ１６でＹＥＳ）、ＨＤＭＩデータをディスプレイ装置４０にスルーする必要がないので、制御部２４は、ＡＶアンプ２０をスタンバイスルー状態から完全スタンバイ状態に移行させる（Ｓ１７）。一方、ディスプレイ装置４０がスタンバイ状態でなければ（Ｓ１６でＮＯ）、ＨＤＭＩデータをディスプレイ装置４０にスルーする必要があるので、制御部２４は、ＡＶアンプ２０をスタンバイスルー状態に維持させる（Ｓ５）。
【００４３】
なお、以降に説明する各処理においても、図４のようにスタンバイ状態に移行する指示に応じて最初はスタンバイスルー状態に移行し、ディスプレイ装置４０がスタンバイ状態であると判断された場合に、すぐに完全スタンバイ状態に移行せずに、所定時間経過後にディスプレイ装置がスタンバイ状態であるか否かを再度判断し、ディスプレイ装置４０がスタンバイ状態であれば、完全スタンバイ状態に移行するようにしてもよい。
【００４４】
図５は、ＡＶアンプ２０がスタンバイスルー状態の場合の制御部２４の処理を示すフローチャートである。図５の処理は定期的に実行される。スタンバイスルー状態のときに、制御部２４は、ディスプレイ装置４０に電源状態を問い合わせるＣＥＣメッセージを送信する（Ｓ２１）。
【００４５】
制御部２４は、ディスプレイ装置４０から電源状態に関するＣＥＣメッセージを受信したか否かを判断する（Ｓ２２）。受信した場合（Ｓ２２でＹＥＳ）、制御部２４は、ＣＥＣメッセージに基づいて、ディスプレイ装置４０がスタンバイ状態であるか否かを判断する（Ｓ２３）。
【００４６】
ディスプレイ装置４０がスタンバイ状態であれば（Ｓ２３でＹＥＳ）、ＨＤＭＩデータをディスプレイ装置４０にスルーする必要がないので、制御部２４は、ＡＶアンプ２０をスタンバイスルー状態から完全スタンバイ状態に移行させる（Ｓ２５）。一方、ディスプレイ装置４０がスタンバイ状態でなければ（Ｓ２３でＮＯ）、ＨＤＭＩデータをディスプレイ装置４０にスルーする必要があるので、制御部２４は、ＡＶアンプ２０をスタンバイスルー状態に維持させる（Ｓ２４）。
【００４７】
図６は、ＡＶアンプ４０が完全スタンバイ状態の場合の制御部２４の処理を示すフローチャートである。図６の処理は定期的に実行される。完全スタンバイ状態のときに、制御部２４は、ディスプレイ装置４０に電源状態を問い合わせるＣＥＣメッセージを送信する（Ｓ３１）。
【００４８】
制御部２４は、ディスプレイ装置４０から電源状態に関するＣＥＣメッセージを受信したか否かを判断する（Ｓ３２）。受信した場合（Ｓ３２でＹＥＳ）、制御部２４は、ＣＥＣメッセージに基づいて、ディスプレイ装置４０がスタンバイ状態であるか否かを判断する（Ｓ３３）。
【００４９】
ディスプレイ装置４０がスタンバイ状態であれば（Ｓ３３でＹＥＳ）、ＨＤＭＩデータをディスプレイ装置４０にスルーする必要がないので、制御部２４は、ＡＶアンプ２０を完全スタンバイ状態に維持させる（Ｓ３５）。一方、ディスプレイ装置４０がスタンバイ状態でなければ（Ｓ３３でＮＯ）、ＨＤＭＩデータをディスプレイ装置４０にスルーする必要があるので、制御部２４は、ＡＶアンプ２０を完全スタンバイ状態からスタンバイスルー状態に移行させる（Ｓ３４）従って、ＨＤＭＩデータをディスプレイ装置４０にスルーさせることができるようになる。
【００５０】
図７は、図６の変形例であり、図６と同一の処理には同一の符号を付し、説明を援用する。Ｓ３３において、ディスプレイ装置４０がスタンバイ状態でないと判断されると（Ｓ３３でＮＯ）、制御部２４は、ユーザ操作によってシステムオーディオモードがオンに設定されているか否かを判断する（Ｓ３６）。ここで、システムオーディオモードとは、ユーザ操作によってディスプレイ装置４０に設定可能であり、その設定内容がＡＶアンプ２０にＣＥＣメッセージによって通知され、ＡＶアンプ２０のメモリ２５にその設定内容が記憶される。システムオーディオモードがオンであれば、音声信号がＡＶアンプ２０で増幅され、ＡＶアンプ２０に接続されているスピーカー６０から音声が出力される。一方、システムオーディオモードがオフであれば、音声信号がディスプレイ装置４０で増幅され、ディスプレイ装置４０に内蔵されているスピーカーから音声が出力される。
【００５１】
システムオーディオモードがオンであれば（Ｓ３６でＹＥＳ）、ＡＶアンプ２０で音声信号を増幅する必要があるので、制御部２４は、ＡＶアンプ２０を完全スタンバイ状態から電源オン状態に移行させる（Ｓ３７）。一方、システムオーディオモードがオフであれば（Ｓ３６でＮＯ）、ＡＶアンプ２０で音声信号を増幅する必要が無く、ＨＤＭＩデータをディスプレイ装置４０にスルーさえすればよいので、制御部２４は、ＡＶアンプ２０を完全スタンバイ状態からスタンバイスルー状態に移行させる（Ｓ３４）。
【００５２】
なお、システムスタンバイモードの代わりに、完全スタンバイ状態から復帰する際にスタンバイスルー状態に移行するか、又は、電源オン状態に移行するかをユーザ操作によってＡＶアンプ２０に設定可能でもよい。
【００５３】
［実施例２］
次に、本発明の別の好ましい実施形態を説明する。本例では、実施例１と比較し、制御部２４は、ディスプレイ装置４０のＨＤＭＩデータの（入力）信号経路にＡＶアンプ２０が含まれるか否かをさらに判断する。つまり、ディスプレイ装置４０の入力としてＡＶアンプ２０が接続されたＨＤＭＩ入力が選択されており、ディスプレイ装置４０がＡＶアンプ２０からのＨＤＭＩデータを受信し、再生する状態であるか否かが判断される。ディスプレイ装置４０の信号経路にＡＶアンプ２０が含まれていない場合には、ディスプレイ装置４０がスタンバイ状態でなくても、ＨＤＭＩデータをディスプレイ装置４０にスルーする必要がないので、制御部２４はＡＶアンプ２０を完全スタンバイ状態に移行させる。
【００５４】
ここで、ディスプレイ装置４０のＨＤＭＩデータの信号経路にＡＶアンプ２０が含まれるか否かの判断手法について説明する。ディスプレイ装置４０は、ユーザ操作に応じて、ＨＤＭＩデータ送信元のソース機器としてＤＶＤプレーヤ１０Ｂを選択すると、ＣＥＣラインに接続されている全機器にその旨を示すＣＥＣメッセージを送信する。詳細には、’0 F Set Stream Path 1.2.0.0’というＣＥＣメッセージが送信される。なお、１番目の０は送信元であるディスプレイ装置４０の論理アドレスを示し、２番目のＦはＣＥＣライン上の全ての機器宛のメッセージであることを示し、最後の1.2.0.0はＨＤＭＩデータの送信元として選択したＤＶＤプレーヤ１０Ｂの物理アドレスを示す。制御部２４は、このＣＥＣメッセージを受信すると、ＣＥＣメッセージに含まれている物理アドレスを判別し、ディスプレイ装置４０がＡＶアンプ２０に接続されているＤＶＤプレーヤ１０ＢをＨＤＭＩデータの送信元として選択した結果、ディスプレイ装置４０の入力がＨＤＭＩ入力ＩＮ１に変更され、ＡＶアンプ２０がディスプレイ装置４０の信号経路に含まれることを判断する。
【００５５】
一方、ディスプレイ装置４０は、ユーザ操作に応じて、ＨＤＭＩデータ送信元のソース機器としてＤＶＤプレーヤ１０Ｃを選択すると、ＣＥＣラインに接続されている全機器にその旨を示すＣＥＣメッセージを送信する。詳細には、’0 F Set Stream Path 2.0.0.0’というＣＥＣメッセージが送信される。制御部２４は、このＣＥＣメッセージを受信すると、ＣＥＣメッセージに含まれている物理アドレスを判別し、ディスプレイ装置４０がＡＶアンプ２０に接続されていないＤＶＤプレーヤ１０ＣをＨＤＭＩデータの送信元として選択した結果、ディスプレイ装置４０の入力がＨＤＭＩ入力ＩＮ２に変更され、ＡＶアンプ２０がディスプレイ装置４０の信号経路に含まれないことを判断する。
【００５６】
ディスプレイ装置４０は、ユーザ操作に応じて、ＨＤＭＩデータの入力を、ＨＤＭＩ入力ＩＮ２からＨＤＭＩ入力ＩＮ１に変更すると、ＣＥＣラインに接続されている全機器にその旨を示すＣＥＣメッセージを送信する。詳細には、’0 F Rooting Change 2.0.0.0, 1.0.0.0’というＣＥＣメッセージが送信される。なお、最後の2.0.0.0, 1.0.0.0はＤＶＤプレーヤ１０Ｃの物理アドレスとＡＶアンプ２０の物理アドレスとを示し、入力がＤＶＤプレーヤ１０ＣからＡＶアンプ２０に変更されたことを示す。制御部２４は、このＣＥＣメッセージを受信すると、ＣＥＣメッセージに含まれている物理アドレスを判別し、ディスプレイ装置４０がＨＤＭＩデータの入力を、ＨＤＭＩ入力ＩＮ２からＨＤＭＩ入力ＩＮ１に変更した結果、ＡＶアンプ２０がディスプレイ装置４０の信号経路に含まれることを判断する。
【００５７】
一方、ディスプレイ装置４０は、ユーザ操作に応じて、ＨＤＭＩデータの入力を、ＨＤＭＩ入力ＩＮ１からＨＤＭＩ入力ＩＮ２に変更すると、ＣＥＣラインに接続されている全機器にその旨を示すＣＥＣメッセージを送信する。詳細には、’0 F Rooting Change 1.0.0.0, 2.0.0.0’というＣＥＣメッセージが送信される。制御部２４は、このＣＥＣメッセージを受信すると、ＣＥＣメッセージに含まれている物理アドレスを判別し、ディスプレイ装置４０がＨＤＭＩデータの入力を、ＨＤＭＩ入力ＩＮ１からＨＤＭＩ入力ＩＮ２に変更した結果、ＡＶアンプ２０がディスプレイ装置４０の信号経路に含まれないことを判断する。
【００５８】
ＤＶＤプレーヤ１０Ｃは、再生開始すると、ＣＥＣラインに接続されている全機器にその旨を示すＣＥＣメッセージを送信する。詳細には、’2 F Active Source 2.0.0.0’というＣＥＣメッセージが送信される。なお、最後の2.0.0.0はＤＶＤプレーヤ１０Ｃの物理アドレスを示す。ディスプレイ装置４０は、このＣＥＣメッセージを受信すると、ＤＶＤプレーヤ１０ＣからのＨＤＭＩデータを受信し再生するように、ＨＤＭＩデータの入力を、ＨＤＭＩ入力ＩＮ１からＨＤＭＩ入力ＩＮ２に変更する。制御部２４は、このＣＥＣメッセージを受信すると、ＣＥＣメッセージに含まれている物理アドレスを判別し、ＡＶアンプ２０に接続されていないＤＶＤプレーヤ１０Ｃが再生開始した結果、ディスプレイ装置４０がＨＤＭＩデータの入力を、ＨＤＭＩ入力ＩＮ１からＨＤＭＩ入力ＩＮ２に変更するので、ＡＶアンプ２０がディスプレイ装置４０の信号経路に含まれないことを判断する。
【００５９】
ディスプレイ装置４０がＴＶ受像機である場合、ディスプレイ装置４０が内蔵するＴＶチューナで受信されるＴＶ放送データを再生開始すると、ＣＥＣラインに接続されている全機器にその旨を示すＣＥＣメッセージを送信する。詳細には、’0 F Active Source 0.0.0.0’というＣＥＣメッセージが送信される。なお、最後の0.0.0.0はディスプレイ装置４０の物理アドレスを示す。制御部２４は、このＣＥＣメッセージを受信すると、ＣＥＣメッセージに含まれている物理アドレスを判別し、ディスプレイ装置４０がＴＶチューナで受信されるＴＶ放送データを再生する結果、ＡＶアンプ２０がディスプレイ装置４０の信号経路に含まれないことを判断する。
【００６０】
図８は、ユーザ操作によってＡＶアンプ２０を電源オン状態からスタンバイ状態に移行する指示が入力された場合の制御部２４の処理を示すフローチャートであり、図３と同じ処理に同じ符号を付し、説明を援用する。Ｓ４において、ディスプレイ装置４０がスタンバイ状態でないと判断されると（Ｓ４でＮＯ）、制御部２４は、ディスプレイ装置４０のＨＤＭＩデータの信号経路にＡＶアンプ２０が含まれているか否かを判断する（Ｓ４１）。ここでの判断は、ＣＥＣメッセージを受信した際に上記の判断手法によって判断された信号経路に関する情報がメモリ２５に記憶されているので、メモリ２５に記憶されている情報に基づいて判断される。
【００６１】
ディスプレイ装置４０の信号経路にＡＶアンプ２０が含まれていなければ（Ｓ４１でＮＯ）、ディスプレイ装置４０はＡＶアンプ２０からＨＤＭＩデータを受信できず、ＡＶアンプ２０はＨＤＭＩデータをディスプレイ装置４０にスルーする必要がないので、制御部２４は、ＡＶアンプ２０を電源オン状態から完全スタンバイ状態に移行させる（Ｓ６）。一方、ディスプレイ装置４０の信号経路にＡＶアンプ２０が含まれていれば（Ｓ４１でＹＥＳ）、ディスプレイ装置４０はＡＶアンプ２０からＨＤＭＩデータを受信でき、ＡＶアンプ２０はＨＤＭＩデータをディスプレイ装置４０にスルーする必要があるので、制御部２４は、ＡＶアンプ２０を電源オン状態からスタンバイスルー状態に移行させる（Ｓ５）。
【００６２】
図９は、スタンバイスルー状態のときの制御部２４の処理を示すフローチャートであり、図５と同じ処理には同一符号を付し説明を援用する。図９は定期的に実行される。Ｓ２３において、ディスプレイ装置４０がスタンバイ状態でないと判断されると（Ｓ２３でＮＯ）、制御部２４は、ディスプレイ装置４０のＨＤＭＩデータの信号経路にＡＶアンプ２０が含まれているか否かを判断する（Ｓ５１）。
【００６３】
ディスプレイ装置４０の信号経路にＡＶアンプ２０が含まれていなければ（Ｓ５１でＮＯ）、ＨＤＭＩデータをディスプレイ装置４０にスルーする必要がないので、制御部２４は、ＡＶアンプ２０をスタンバイスルー状態から完全スタンバイ状態に移行させる（Ｓ２５）。一方、ディスプレイ装置４０の信号経路にＡＶアンプ２０が含まれていれば（Ｓ５１でＹＥＳ）、ＨＤＭＩデータをディスプレイ装置４０にスルーする必要があるので、制御部２４は、ＡＶアンプ２０をスタンバイスルー状態に維持させる（Ｓ２４）。
【００６４】
図１０は、完全スタンバイ状態のときの制御部２４の処理を示すフローチャートであり、図６と同じ処理には同一符号を付し説明を援用する。図１０は定期的に実行される。Ｓ３３において、ディスプレイ装置４０がスタンバイ状態でないと判断されると（Ｓ３３でＮＯ）、制御部２４は、ディスプレイ装置４０のＨＤＭＩデータの信号経路にＡＶアンプ２０が含まれているか否かを判断する（Ｓ６１）。
【００６５】
ディスプレイ装置４０の信号経路にＡＶアンプ２０が含まれていなければ（Ｓ６１でＮＯ）、ＨＤＭＩデータをディスプレイ装置４０にスルーする必要がないので、制御部２４は、ＡＶアンプ２０を完全スタンバイ状態に維持させる（Ｓ３５）。一方、ディスプレイ装置４０の信号経路にＡＶアンプ２０が含まれていれば（Ｓ６１でＹＥＳ）、ＨＤＭＩデータをディスプレイ装置４０にスルーする必要があるので、制御部２４は、ＡＶアンプ２０を完全スタンバイ状態からスタンバイスルー状態に移行させる（Ｓ３４）。
【００６６】
図１１は、図１０の変形例であり、図１０と同一の処理には同一の符号を付し、説明を援用する。Ｓ６１において、ディスプレイ装置４０の信号経路にＡＶアンプ２０が含まれている場合（Ｓ６１でＹＥＳ）、制御部２４は、ユーザ操作によってシステムオーディオモードがオンに設定されているか否かを判断する（Ｓ３６）。
【００６７】
システムオーディオモードがオンであれば（Ｓ３６でＹＥＳ）、ＡＶアンプ２０で音声信号を増幅する必要があるので、制御部２４は、ＡＶアンプ２０を完全スタンバイ状態から電源オン状態に移行させる（Ｓ３７）。一方、システムオーディオモードがオフであれば（Ｓ３６でＮＯ）、ＡＶアンプ２０で音声信号を増幅する必要が無く、ＨＤＭＩデータをディスプレイ装置４０にスルーさえすればよいので、制御部２４は、ＡＶアンプ２０を完全スタンバイ状態からスタンバイスルー状態に移行させる（Ｓ３４）。
【００６８】
[実施例３]
次に、本発明のさらに別の好ましい実施形態を説明する。本例では、実施例２と比較し、ディスプレイ装置４０がスタンバイ状態であるか否かの判断処理が省略されており、単に、ディスプレイ装置４０の信号経路にＡＶアンプ２０が含まれているか否かの判断処理のみに応じて、ＡＶアンプ２０を完全スタンバイ状態に移行させるか、又は、スタンバイスルー状態に移行させるかが決定される。図１２は、ユーザ操作によってＡＶアンプ２０を電源オン状態からスタンバイ状態に移行する指示が入力された場合の制御部２４の処理を示すフローチャートであり、図８と比較し、Ｓ２〜Ｓ４の処理が省略されている。図１３は、スタンバイスルー状態のときの制御部２４の処理を示すフローチャートであり、図９と比較し、Ｓ２１〜Ｓ２３の処理が省略されている。図１４は、完全スタンバイ状態のときの制御部２４の処理を示すフローチャートであり、図１０と比較し、Ｓ３１〜Ｓ３３の処理が省略されている。図１５は、図１４の変形例であり、図１１と比較し、Ｓ３１〜Ｓ３３の処理が省略されている。
【００６９】
以上、本発明の好ましい実施形態を説明したが、本発明はこれらの実施形態には限定されない。ＨＤＭＩの代わりに、ＤＶＩ、ＩＥＥＥ１３９４、ＬＡＮ、ＵＳＢ等の他の通信規格が適用されてもよい。また、コンテンツ送信装置は、コンテンツファイルを記録するＨＤＤ等を備えるＨＤＤレコーダ、ＴＶチューナ、ゲーム機等でもよい。また、ディスプレイ装置４０がスタンバイ状態であるか否かを、ＨＤＭＩの＋５Ｖ電源ラインやホットプラグラインを使用して判断してもよい。また、ＨＤＭＩ送信部２１とＨＤＭＩ受信部２２とが共通の１つの部品によって構成されていてもよい。また、ＡＶアンプの上記動作をコンピュータに実行させるためのプログラムおよびこれを記録した記録媒体という形態で提供されてもよい。
【産業上の利用可能性】
【００７０】
本発明は、ＡＶアンプ等に好適に採用され得る。
【符号の説明】
【００７１】
１０Ａ          ＤＶＤプレーヤ
１０Ｂ          ＤＶＤプレーヤ
１０Ｃ          ＤＶＤプレーヤ
２０            ＡＶアンプ
２１            ＨＤＭＩ受信部
２２            ＨＤＭＩ送信部
２３            音声処理部
２４            制御部
２５            メモリ
２６            操作部
２７            表示部
２８            電源部
２９Ａ          ＨＤＭＩ入力１
２９Ｂ          ＨＤＭＩ入力２
２９Ｃ          ＨＤＭＩ出力１
４０            ディスプレイ装置
【図１】
2011166681.tif 000003
【図２】
2011166681.tif 000004
【図３】
2011166681.tif 000005
【図４】
2011166681.tif 000006
【図５】
2011166681.tif 000007
【図６】
2011166681.tif 000008
【図７】
2011166681.tif 000009
【図８】
2011166681.tif 000010
【図９】
2011166681.tif 000011
【図１０】
2011166681.tif 000012
【図１１】
2011166681.tif 000013
【図１２】
2011166681.tif 000014
【図１３】
2011166681.tif 000015
【図１４】
2011166681.tif 000016
【図１５】
2011166681.tif 000017